(57)【要約】  異なるタイプの重複する送信信号の優先度を判定するためのシステムおよび方法が提供される。ＡＣＫ／ＮＡＣＫのＰＵＣＣＨリソースがスケジューリング要求のＰＵＣＣＨリソースと重複する場合、ＡＣＫ／ＮＡＣＫとスケジューリング要求との判定された相対的な優先度に基づいて、無線デバイスは、度の送信信号が優先され、送信されるべきかを判定することができる。【選択図】図４
2021520681.tif 000002
【特許請求の範囲】
【請求項１】
無線デバイスによって実行される方法であって、
確認応答／否定確認応答（ＡＣＫ／ＮＡＣＫ）送信信号とスケジューリング要求（ＳＲ）送信信号が、物理上りリンク制御チャネル（ＰＵＣＣＨ）リソースにおいて重複することを判定することと、
前記ＡＣＫ／ＮＡＣＫ送信信号と関連付けられる優先度を判定することと、
前記ＡＣＫ／ＮＡＣＫ送信信号と関連付けられる前記優先度を、前記ＳＲ送信信号と関連付けられる優先度と比較して、いずれの送信信号がより相対的に高い優先度を有するかを判定することと、
より相対的に高い前記優先度を有する前記送信信号を送信することと、
を含む方法。
【請求項２】
前記ＳＲ送信信号と関連付けられる優先度を判定することをさらに含む請求項１に記載の方法。
【請求項３】
前記ＳＲ送信信号と関連付けられる前記優先度は、当該ＳＲ送信信号と関連付けられた論理チャネルに関連する優先度レベルに従って判定される請求項２に記載の方法。
【請求項４】
前記ＡＣＫ／ＮＡＣＫ送信信号に関連付けられる前記優先度は、物理下りリンク制御チャネル（ＰＤＣＣＨ）のプロパティ、物理下りリンク共有チャネル（ＰＤＳＣＨ）のプロパティ、およびＰＵＣＣＨのプロパティの少なくともいずれかに従って判定される請求項１から３のいずれか１項に記載の方法。
【請求項５】
前記ＡＣＫ／ＮＡＣＫ送信信号に関連付けられる前記優先度は、スケジューリングＰＤＣＣＨ送信の特性に少なくとも部分的に基づいて判定される請求項１から４のいずれか１項に記載の方法。
【請求項６】
前記特性は、ＰＤＣＣＨ送信に用いられるサーチスペースおよび制御リソースセットの少なくともいずれかを含む請求項５に記載の方法。
【請求項７】
前記サーチスペースの優先度レベルが、前記サーチスペースの周期から導出される請求項６に記載の方法。
【請求項８】
前記ＡＣＫ／ＮＡＣＫ送信信号に関連付けられる前記優先度は、ＰＤＣＣＨに関連付けられるアグリゲーションレベルに少なくとも部分的に基づいて判定される請求項１から７のいずれか１項に記載の方法。
【請求項９】
前記ＡＣＫ／ＮＡＣＫ送信信号に関連付けられる前記優先度は、ＰＤＣＣＨで送信される下りリンク制御情報（ＤＣＩ）メッセージに少なくとも部分的に基づいて判定される請求項１から８のいずれか１項に記載の方法。
【請求項１０】
前記ＤＣＩメッセージは、変調および符号化方式、符号化率、変調次数、参照信号パターンの表示、時間領域リソース割り当て、サイクリックリダンダンシチェック（ＣＲＣ）長、および、多入力多出力（ＭＩＭＯ）送信手法の少なくともいずれかを含む請求項９に記載の方法。
【請求項１１】
前記ＡＣＫ／ＮＡＣＫ送信信号に関連付けられる前記優先度は、前記無線デバイスに関連付けられた無線ネットワーク一時識別子（ＲＮＴＩ）に少なくとも部分的に基づいて判定される請求項１から１０のいずれか１項に記載の方法。
【請求項１２】
前記ＡＣＫ／ＮＡＣＫ送信信号に関連付けられる前記優先度は、前記ＡＣＫ／ＮＡＣＫ送信信号を搬送するＰＵＣＣＨリソースに関連する優先度レベルに少なくとも部分的に基づいて判定される請求項１から１１のいずれか１項に記載の方法。
【請求項１３】
前記ＡＣＫ／ＮＡＣＫ送信信号および前記ＳＲ送信信号が相対的に同じ優先度を有すると判定したことに応じて、より早い送信時間の前記送信信号が送信される請求項１から１２のいずれか１項に記載の方法。
【請求項１４】
相対的により低い優先度を有する前記送信信号のキャンセルと中段とのいずれかを行うことをさらに含む請求項１から１２のいずれか１項に記載の方法。
【請求項１５】
無線インタフェースと、
処理回路であって、
確認応答／否定確認応答（ＡＣＫ／ＮＡＣＫ）送信信号とスケジューリング要求（ＳＲ）送信信号とがＰＵＣＣＨリソースにおいて重複することを判定し、
前記ＡＣＫ／ＮＡＣＫ送信信号に関連付けられる優先度を判定し、
前記ＡＣＫ／ＮＡＣＫ送信信号に関連付けられる前記優先度を、前記ＳＲ送信信号と関連付けられる優先度と比較して、いずれの送信信号が相対的により高い優先度を有するかを判定し、
相対的により高い前記優先度を有する前記送信信号を送信する
ように構成された前記処理回路と、
を有する無線デバイス。
【請求項１６】
前記ＳＲ送信信号と関連付けられる優先度を判定するようにさらに構成される請求項１５に記載の無線デバイス。
【請求項１７】
前記ＳＲ送信信号に関連付けられる前記優先度は、当該ＳＲ送信信号に関連付けられた論理チャネルに関連する優先度レベルに従って判定される請求項１６に記載の無線デバイス。
【請求項１８】
前記ＡＣＫ／ＮＡＣＫ送信信号に関連付けられる前記優先度は、物理下りリンク制御チャネル（ＰＤＣＣＨ）のプロパティ、物理下りリンク共有チャネル（ＰＤＳＣＨ）のプロパティ、およびＰＵＣＣＨのプロパティの少なくともいずれかに従って判定される請求項１５から１７のいずれか１項に記載の無線デバイス。
【請求項１９】
前記ＡＣＫ／ＮＡＣＫ送信信号に関連付けられる前記優先度は、スケジューリングＰＤＣＣＨ送信の特性に少なくとも部分的に基づいて判定される請求項１５から１８のいずれか１項に記載の無線デバイス。
【請求項２０】
前記特性は、ＰＤＣＣＨ送信に用いられるサーチスペースおよび制御リソースセットの少なくともいずれかを含む請求項１９に記載の無線デバイス。
【請求項２１】
前記サーチスペースの優先度レベルが、前記サーチスペースの周期から導出される請求項２０に記載の無線デバイス。
【請求項２２】
前記ＡＣＫ／ＮＡＣＫ送信信号に関連付けられる前記優先度は、ＰＤＣＣＨに関連付けられるアグリゲーションレベルに少なくとも部分的に基づいて判定される請求項１５から２１のいずれか１項に記載の無線デバイス。
【請求項２３】
前記ＡＣＫ／ＮＡＣＫ送信信号に関連付けられる前記優先度は、ＰＤＣＣＨで送信される下りリンク制御情報（ＤＣＩ）メッセージに少なくとも部分的に基づいて判定される請求項１５から２２のいずれか１項に記載の無線デバイス。
【請求項２４】
前記ＤＣＩメッセージは、変調および符号化方式、符号化率、変調次数、参照信号パターンの表示、時間領域リソース割り当て、サイクリックリダンダンシチェック（ＣＲＣ）長、および、多入力多出力（ＭＩＭＯ）送信手法の少なくともいずれかを含む請求項２３に記載の無線デバイス。
【請求項２５】
前記ＡＣＫ／ＮＡＣＫ送信信号に関連付けられる前記優先度は、前記無線デバイスに関連付けられた無線ネットワーク一時識別子（ＲＮＴＩ）に少なくとも部分的に基づいて判定される請求項１５から２４のいずれか１項に記載の無線デバイス。
【請求項２６】
前記ＡＣＫ／ＮＡＣＫ送信信号に関連付けられる前記優先度は、前記ＡＣＫ／ＮＡＣＫ送信信号を搬送するＰＵＣＣＨリソースに関連する優先度レベルに少なくとも部分的に基づいて判定される請求項１５から２５のいずれか１項に記載の無線デバイス。
【請求項２７】
前記ＡＣＫ／ＮＡＣＫ送信信号および前記ＳＲ送信信号が相対的に同じ優先度を有すると判定したことに応じて、より早い送信時間の前記送信信号を送信するようにさらに構成される請求項１５から２６のいずれか１項に記載の無線デバイス。
【請求項２８】
相対的により低い優先度を有する前記送信信号のキャンセルと中段とのいずれかを行うようにさらに構成される請求項１５から２６のいずれか１項に記載の無線デバイス。
【発明の詳細な説明】
【技術分野】
【０００１】
関連出願に対するクロスリファレンス
本願は、２０１８年２月２６日に出願した米国仮出願第６２／６３５２４０の利益を主張するものであり、その内容のすべてがここに参照として組み込まれる。
【０００２】
本開示は、一般に無線通信および無線通信ネットワークに関する。
【背景技術】
【０００３】
（５Ｇ又は次世代としても知られる）Ｎｅｗ  Ｒａｄｉｏ（ＮＲ）のためのアーキテクチャについて、３ＧＰＰ等の標準化機構において議論されている。ＮＲは、さらなる高度化されたデータレート、レイテンシ、カバレッジ、容量、および信頼性を要求する新たなケースを可能とすることを目標としている。これは、改善されたネットワークエネルギー性能と非常に高い周波数帯におけるスペクトルを利用する能力で達成可能である。これらの目標に到達するためのいくつかの主要な技術コンポーネントは、フレキシブルなヌメロロジ、レイテンシに最適化されたフレーム構造、マッシブＭＩＭＯ、高い周波数帯と低い周波数帯の相互作用、およびウルトラリーン（ultra-lean）伝送を含む。
【０００４】
ＮＲにおけるデータ伝送を制御する従来の方法は、ＬＴＥと同様の方法でスケジューリングをすることである。各無線デバイスは、１つ以上の物理下りリンク制御チャネル（ＰＤＣＣＨ）を監視する。有効なＰＤＣＣＨの検出に応じて、デバイスは、スケジューリングの決定に従って、データを送信又は受信する。
【０００５】
複合ＡＲＱの確認応答、マルチアンテナ動作のためのチャネル状態フィードバック、および送信を待っている上りリンクデータのためのスケジューリング要求（ＳＲ）などの上りリンク制御情報は、物理上りリンク制御チャネル（ＰＵＣＣＨ）を用いて送信される。情報の量とＰＵＣＣＨ送信の期間に応じて、異なるＰＵＣＣＨフォーマットがある。
【０００６】
ＮＲは、従来５つの異なるＰＵＣＣＨのフォーマットをサポートしている。
【０００７】
ＰＵＣＣＨフォーマット０：ＰＵＣＣＨフォーマット０は、（周波数ホッピングを伴う又は伴わない）１又は２シンボルであり、最大２つのＳＲビットと共に１または２ビットのＡＣＫ／ＮＡＣＫを搬送することができる。このフォーマットは、シーケンス選択を使用し、すなわち、ＵＣＩビットが、送信するＵＣＩビットの数によって定まるＮ個のシーケンスのうちの１つを選択する。ＰＵＣＣＨフォーマット０は、常に１ＰＲＢの幅である。
【０００８】
ＰＵＣＣＨフォーマット１：ＰＵＣＣＨフォーマット１は、（周波数ホッピングを伴う又は伴わない）４から１４シンボル長であり、１又は２ビットのＡＣＫ／ＮＡＣＫビットを搬送することができる。また、その長さの変動性がＬＴＥにおけるＰＵＣＣＨフォーマット１ａ／１ｂと非常に類似する。ＡＣＫ／ＮＡＣＫがＳＲと並行して送信されるべき場合、ＰＵＣＣＨ伝送は、ＡＣＫ／ＮＡＣＫリソース上ではなく、ＲＲＣ設定されたＳＲリソース上で発生する。ＰＵＣＣＨフォーマット１は、常に１ＰＲＢの幅である。
【０００９】
ＰＵＣＣＨフォーマット２：ＰＵＣＣＨフォーマット２は、（周波数ホッピングを伴う又は伴わない）１又は２シンボル長であり、設定されている場合に、ＣＳＩおよびＳＲと共に、３つ以上（数十ビットまでの）ＡＣＫ／ＮＡＣＫビットを搬送することができる。ＰＵＣＣＨフォーマット２は、ＵＣＩ情報を符号化し、符号化されたＵＣＩを、１つまたは２つのＯＦＤＭシンボルにおけるサブキャリア上で送信する。より大きいペイロードを収容するため、ＰＵＣＣＨフォーマット２は、複数のＰＲＢに渡って拡張することができる。
【００１０】
ＰＵＣＣＨフォーマット３：ＰＵＣＣＨフォーマット３は、（周波数ホッピングを伴う又は伴わない）４から１４シンボル長であり、設定されている場合に、ＣＳＩおよびＳＲと共に、３から数百ビットを搬送することができる。ＰＵＣＣＨフォーマット３は、ＵＣＩビットを符号化し、複素ＱＰＳＫシンボルにマッピングし、ＵＣＩを搬送する各ＯＦＤＭシンボルに対する一部にシンボル系列を分割し、ＯＦＤＭ変調の前にＤＦＴＳ−ＯＦＤＭプリコーディングを適用する。ＰＵＣＣＨフォーマット３は、ＮＲの全てのＰＵＣＣＨフォーマットに渡って最大のペイロードサイズを提供する。より多くのペイロードを収容するために、ＰＵＣＣＨフォーマット３は、複数のＰＲＢに渡って拡張することができる。
【００１１】
ＰＵＣＣＨフォーマット４：ＰＵＣＣＨフォーマット４は、（周波数ホッピングを伴う又は伴わない）４から１４シンボル長であり、設定されている場合に、ＣＳＩおよびＳＲと共に、３から数十ビットを搬送することができる。ＰＵＣＣＨフォーマット４は、ＤＦＴＳ−ＯＦＤＭプリコーディングの前にＯＣＣ多重を用いることにより同一の時間・周波数リソース上で４ユーザまで多重可能であること、および、単一のＰＲＢに制限されることという２つの例外を伴って、ＰＵＣＣＨフォーマット３と非常に似ている。
【００１２】
各無線デバイスは、セルグループごとに１つ又は複数（例えば８個までの）のスケジューリング要求（ＳＲ）コンフィグを用いて設定されうる。ＲＲＣ情報要素SchedulingRequestResourceConfigは、schedulingRequestIDをSchedulingRequestResourceIdと関連付ける。SchedulingRequestResourceIdは、物理リソース（すなわちＰＵＣＣＨ）を、周期及びオフセットとともに識別する。schedulingRequestIDは論理チャネルと関連付けられ、論理チャネルがＵＬリソースを要求している場合、schedulingRequestIDと関連付けられたスケジューリング要求がトリガされる。なお、スケジューリング要求ＩＤであるschedulingRequestIDを、複数のＰＵＣＣＨリソースにマッピングすることができ、すなわち、同一のschedulingRequestIDにマッピングする／リンクするいくつかのSchedulingRequestResourceConfigが存在してもよい。したがって、SchedulingRequestResourceConfigのＩＤ空間は、schedulingRequestIDのＩＤ空間より大きいか同じでありうる。
【００１３】
図１は、スケジューリング要求ＩＤであるschedulingRequestID（ＳＲ０）が、複数のSchedulingRequestResourceConfigコンフィグに対応する複数の設定されたＰＵＣＣＨリソース（ＰＵＣＣＨリソース０、ＰＵＣＣＨリソース１、ＰＵＣＣＨリソース２）にマッピングされる例を図解している。スケジューリング要求が他のシグナリングと重なるいくつかのシナリオが存在しうる。
【発明の概要】
【００１４】
先行技術の少なくとも１つの不利点を取り除く又は軽減することが本開示の目的である。
【００１５】
様々なタイプの重複ＰＵＣＣＨリソース伝送の相対的な優先度を決定するためのシステムおよび方法が提供される。
【００１６】
本開示の態様において、無線デバイスによって実行される方法が提供される。無線デバイスは、無線インタフェースと処理回路とを含み、確認応答／否定確認応答（ＡＣＫ／ＮＡＣＫ）送信信号とスケジューリング要求（ＳＲ）送信信号が物理上りリンク制御チャネル（ＰＵＣＣＨ）リソースと重複することを決定するように構成されうる。無線デバイスは、ＡＣＫ／ＮＡＣＫ伝送と関連付けられる優先度を決定し、いずれの伝送がより相対的に高い優先度を有するかを判定するために、そのＡＣＫ／ＮＡＣＫ伝送と関連付けられた優先度を、ＳＲ伝送と関連付けられた優先度と比較しうる。無線デバイスは、より高い相対的優先度を有する伝送を送信しうる。
【００１７】
いくつかの実施形態において、無線デバイスは、さらに、ＳＲ送信信号と関連付けられる優先度を決定することができる。ＳＲ送信信号と関連付けられた優先度は、ＳＲ送信信号と関連付けられた論理チャネルと関連する優先度レベルに従って決定されうる。
【００１８】
いくつかの実施形態では、ＡＣＫ／ＮＡＣＫ送信信号と関連付けられる優先度が、物理下りリンク制御チャネル（ＰＤＣＣＨ）のプロパティ、物理下りリンク共有チャネルのプロパティ、およびＰＵＣＣＨのプロパティの少なくともいずれかに従って決定されうる。
【００１９】
いくつかの実施形態では、ＡＣＫ／ＮＡＣＫ送信信号と関連付けられる優先度は、スケジューリングＰＤＣＣＨ送信信号の特性に少なくとも部分的に基づいて決定されうる。その特性は、ＰＤＣＣＨ送信信号に用いられるサーチスペース及び／又は制御リソースセットの少なくとも１つを含みうる。いくつかの実施形態では、サーチスペースの優先度レベルが、サーチスペースの周期から導出されうる。
【００２０】
いくつかの実施形態では、ＡＣＫ／ＮＡＣＫ送信信号と関連付けられる優先度は、ＰＤＣＣＨと関連付けられたアグリゲーションレベルに少なくとも部分的に基づいて決定されうる。
【００２１】
いくつかの実施形態では、ＡＣＫ／ＮＡＣＫ送信信号と関連付けられる優先度が、ＰＤＣＣＨ上で送信される下りリンク制御情報（ＤＣＩ）メッセージに少なくとも部分的に基づいて決定されうる。ＤＣＩメッセージは、変調および符号化方式、符号化率、変調次数、参照信号パターンの表示、時間領域リソース割り当て、サイクリックリダンダンシチェック（ＣＲＣ）長、及び／又は、多入力多出力（ＭＩＭＯ）送信手法の少なくとも１つを含みうる。
【００２２】
いくつかの実施形態では、ＡＣＫ／ＮＡＣＫ送信信号と関連付けられる優先度は、無線デバイスに関連付けられた無線ネットワーク一時識別子（ＲＮＴＩ）の値に少なくとも部分的に基づいて決定されうる。
【００２３】
いくつかの実施形態では、ＡＣＫ／ＮＡＣＫ送信信号と関連付けられる優先度は、ＡＣＫ／ＮＡＣＫ送信信号を搬送するＰＵＣＣＨリソースに関連付けられた優先度レベルに少なくとも部分的に基づいて決定されうる。
【００２４】
ある実施形態では、ＡＣＫ／ＮＡＣＫ送信信号およびＳＲ送信信号が同一の相対的優先度を有することに応じて、無線デバイスは、より早い送信時間でその送信信号を送ることができる。
【００２５】
ある実施形態では、無線デバイスは、さらに、相対的により低い優先度を有する送信信号について、キャンセル及び／又は中断することができる。
【００２６】
ここで説明する様々な態様および実施形態は、代替的に、オプションで、及び／又は追加して、相互に組み合わされてもよい。
【００２７】
本開示の他の態様および特徴は、添付の図面と併せて特定の実施形態の以下の説明を検討することに応じて、当業者に明らかになるだろう。
【図面の簡単な説明】
【００２８】
ここでは、本開示の実施形態について、例としてのみ、添付の図面を参照して説明する。
【図１】例示のスケジューリング要求を示す図である。
【図２】例示の無線ネットワークを示す図である。
【図３ａ】重複するＰＵＣＣＨリソースの例を示す図である。
【図３ｂ】重複するＰＵＣＣＨリソースの例を示す図である。
【図４】無線デバイスにおいて実行されうる方法を示すフローチャートである。
【図５】ＰＤＳＣＨ送信信号から優先度を決定する方法を示すフローチャートである。
【図６】ＰＵＣＣＨリソースから優先度を決定する方法を示すフローチャートである。
【図７】例示の無線デバイスのブロック図である。
【図８】モジュールを有する例示の無線デバイスのブロック図である。
【図９】例示の無線アクセスノードのブロック図である。
【図１０】モジュールを有する例示の無線アクセスノードのブロック図である。
【発明を実施するための形態】
【００２９】
以下で説明される実施形態は、当業者が本実施形態を実施することを可能とする情報を示す。添付の描画された図面に照らして以下の説明を読むことにより、当業者であれば、説明のコンセプトを理解し、ここで特には取り扱われていないこれらのコンセプトの応用を認識するだろう。これらのコンセプトおよび応用が説明の範囲内にあることが理解されるべきである。
【００３０】
以下の説明では、多数の特定の詳細について説明する。しかしながら、これらの詳細を用いない実施形態による実施がありうることが理解される。他の例では、本説明の理解を分かりにくくすることのないように、周知の回路、構造及び技術については詳細には示していない。当業者であれば、含まれている説明を以て、必要以上の実験を行うことなく、適切な機能を実装することができるだろう。
【００３１】
明細書における「一実施形態」、「ある実施形態」、「例示の実施形態」等への言及は、特定の特徴、構造、又は特性を含む説明される実施形態を含みうるが、すべての実施形態が必ずしもその特定の特徴、構造、又は特性を含まなくてもよいことを示す。さらに、そのようなフレーズは、必ずしも同一の実施形態に言及していない。さらに、特定の特徴、構造、又は特性がある実施形態に関連して説明される場合、明示的に説明されていると否とによらず、他の実施形態に関連してそのような特徴、構造、又は特性を実装することは当業者の知識の範囲内であると考えられる。
【００３２】
ある実施形態では、非制限的な用語「ユーザ端末」（ＵＥ）が使用され、それにより、セルラ又はモバイル又は無線通信システムにおいて、ネットワークノード及び／又は他のＵＥと通信することができる任意の種類の無線デバイスが言及されうる。ＵＥの例は、ターゲットデバイス、デバイス対デバイス（Ｄ２Ｄ）ＵＥ、マシンタイプＵＥもしくはマシン対マシン（Ｍ２Ｍ）通信が可能なＵＥ、パーソナルデジタルアシスタント、タブレット、モバイルターミナル、スマートフォン、ラップトップ内蔵装置（ＬＥＥ）、ラップトップ搭載装置（ＬＭＥ）、ＵＳＢドングル、ＰｒｏＳｅ  ＵＥ、Ｖ２Ｖ  ＵＥ、Ｖ２Ｘ  ＵＥ、ＭＴＣ  ＵＥ、ｅＭＴＣ  ＵＥ、ＦｅＭＴＣ  ＵＥ、ＵＥ  Ｃａｔ０、ＵＥ  ＣａｔＭ１、狭帯域ＩｏＴ（ＮＢ−ＩｏＴ）ＵＥ、ＵＥ  ＣａｔＮＢ１、などである。ＵＥの例示の実施形態については、図７に関して、以下でしょうさいに説明する。
【００３３】
ある実施形態では、非制限的な用語「ネットワークノード」が使用され、それは、セルラ又はモバイル又は無線通信システムにおいてＵＥ及び／又は他のネットワークノードと通信することができる、任意の種類の無線アクセスノード（もしくは無線ネットワークノード）又は任意のネットワークノードに対応しうる。ネットワークノードの例は、ＮｏｄｅＢ、ＭｅＮＢ、ＳｅＮＢ、ＭＣＧ又はＳＣＧに属する寝取ワークノード、基地局（ＢＳ）、ＭＳＲ  ＢＳなどのマルチスタンダード無線機（ＭＳＲ）無線アクセスノード、ｅＮｏｄｅＢ、ネットワーク制御装置、無線ネットワーク制御装置（ＲＮＣ）、基地局制御装置（ＢＳＣ）、リレー、リレーを制御するドナーノード、基地送受信局（ＢＴＳ）、アクセスポイント（ＡＰ）、送信点、送信ノード、ＲＲＵ、ＲＲＨ、分散アンテナシステム（ＤＡＳ）におけるノード、コアネットワークノード（例えばＭＳＣ、ＭＭＥなど）、Ｏ＆Ｍ、ＯＳＳ、自己組織化ネットワーク（ＳＯＮ）、測位ノード（例えばＥ−ＳＭＬＣ）、ＭＤＴ、試験設備などである。ネットワークノードの例示の実施形態については、図９に関して以下で詳細に説明する。
【００３４】
ある実施形態では、用語「無線アクセス技術」（ＲＡＴ）は、例えばＵＴＲＡ、Ｅ−ＵＴＲＡ、狭帯域インターネットオブシングス（ＮＢ−ＩｏＴ）、ＷｉＦｉ、Ｂｌｕｅｔｏｏｔｈ、次世代ＲＡＴ（ＮＲ）、４Ｇ、５Ｇなどを参照する。第１のノードと第２のノードとのいずれかが、単一の又は複数のＲＡＴをサポートすることが可能でありうる。
【００３５】
ここで使用される用語「無線ノード」は、無線デバイス又はネットワークノードを表すのに使用されうる。
【００３６】
ある実施形態では、ＵＥは、下りリンク（ＤＬ）方向と上りリンク（ＵＬ）方向との少なくともいずれかにおける２つ以上のキャリアのアグリゲーションを意味するキャリアアグリゲーション（ＣＡ）で動作するように構成されうる。ＣＡを用いて、ＵＥは、複数のサービングセルを有することができ、ここでの用語「サービング」は、ＵＥが対応するサービングセルで設定され、サービングセルで、例えばＰＣｅｌｌ又はいずれかのＳＣｅｌｌで、ネットワークノードからデータを受信し及び／又はネットワークノードへデータを送信しうることを意味する。データは、物理チャネル、例えばＤＬにおけるＰＤＳＣＨ、ＵＬにおけるＰＵＳＣＨなどを介して、送信され又は受信される。コンポーネントキャリア（ＣＣ）は、キャリア又はアグリゲーテッドキャリアと交換可能に呼ばれ、ＰＣＣ又はＳＣＣが、上位レイヤシグナリングを用いて、例えばＵＥへＲＲＣ設定メッセージを送信することにより、ネットワークノードにより、ＵＥにおいて設定される。設定されたＣＣは、その設定されたＣＣのサービングセルにおいて（例えばＰＣｅｌｌ、ＰＳＣｅｌｌ、ＳＣｅｌｌなどにおいて）ＵＥにサービスを提供するために、ネットワークノードによって使用される。また、設定されたＣＣは、そのＣＣで動作するセル、例えばＰＣｅｌｌ、ＳＣｅｌｌ、ＰＳＣｅｌｌ及び隣接セルにおいて、１つ以上の無線測定（例えばＲＳＲＰ、ＲＳＲＱなど）を実行するためにＵＥによって使用される。
【００３７】
ある実施形態では、ＵＥは、デュアルコネクティビティ（ＤＣ）又はマルチコネクティビティ（ＭＣ）で動作可能である。マルチキャリア、又は、マルチキャリア動作は、ＣＡ、ＤＣ、ＭＣなどのいずれかでありうる。用語「マルチキャリア」は、バンドコンビネーションと交換可能に呼ばれうる。
【００３８】
ここで使用される用語「無線測定」は、無線信号において実行される任意の測定を参照しうる。無線測定は、絶対的なものであってもよいし相対的なものであってもよい。無線測定は、例えば、周波数内、周波数間、ＣＡなどでありうる。無線測定は、一方向（例えばＤＬ又はＵＥまたは、再度リンクのいずれかの方向）であってもよいし、双方向（例えばＲＴＴ、Ｒｘ−Ｔｘなど）であってもよい。無線測定のいくつかの例は、タイミング測定（例えば伝搬遅延、ＴＯＡ、タイミングアドバンス、ＲＴＴ、ＲＳＴＤ、Ｒｘ−Ｔｘなど）、角度測定（例えば到来角）、電力ベースの又はチャネルの品質測定（例えば、伝送路損失、受信信号電力、ＲＳＲＰ、受信信号品質、ＲＳＲＱ、ＳＩＮＲ、ＳＮＲ、干渉電力、干渉および雑音のトータル、ＲＳＳＩ、雑音電力、ＣＳＩ、ＣＱＩ、ＰＭＩなど）、セル検出もしくはセル特定、ＲＬＭ、ＳＩ読み出し、などである。測定は、各方向における１つ以上のリンクにおいて実行されてもよく、例えばＲＳＴＤもしくは相対的ＲＳＲＰであってもよく、又は、同一の（共有される）セルの異なる送信点からの信号に基づいてもよい。
【００３９】
ここで使用される用語「シグナリング」は、（例えばＲＲＣ又は同様のものを介する）上位レイヤシグナリング、（例えば物理制御チャネルやブロードキャストチャネルを介する）下位レイヤシグナリング、又はそれらの組み合わせのいずれかを含みうる。シグナリングは、黙示的でも明示的でもよい。シグナリングは、さらに、ユニキャスト、マルチキャスト、又は、ブロードキャストでありうる。また、シグナリングは、他のノードに直接または第３のノードを介してであってもよい。
【００４０】
ここで使用される用語「時間リソース」は、時間長の観点で表現される任意のタイプの物理リソースまたは無線リソースに対応しうる。時間リソースの例は、シンボル、タイムスロット、サブフレーム、無線フレーム、ＴＴＩ、インタリーブ時間などを含む。用語「周波数リソース」は、チャネル帯域幅内のサブバンド、サブキャリア、キャリア周波数、周波数バンドを参照しうる。用語「時間および周波数リソース」は、時間リソースと周波数リソースとの組み合わせを参照しうる。
【００４１】
ＵＥ動作のいくつかの例は、ＵＥ無線測定（上述の用語「無線測定」を参照）、ＵＥ送信を伴う双方向測定、セル検出又は特定、ビーム検出又は特定、システム情報の読み出し、チャネル受信および復号、１つ以上の無線信号及び／又はチャネルの受信を少なくとも含んだ任意のＵＥ動作又はアクティビティ、セル変更又は（再）選択、ビーム変更または（再）選択、移動関連動作、測定関連動作、無線リソース管理（ＲＲＭ）関連動作、測位手順、タイミング関連手順、タイミング調整関連手順、ＵＥ位置追跡手順、時間追跡関連手順、同期関連手順、ＭＤＴのような手順、測定収集関連手順、ＣＡ関連手順、サービングセルのアクティベーション／デアクティベーション、ＣＣコンフィグレーション／デコンフィグレーションなどを含む。
【００４２】
図２は、無線通信に使用可能な無線ネットワーク１００の例を図解している。無線ネットワークは、ＵＥ１１０Ａ〜１１０Ｂなどの無線デバイスと、相互接続ネットワーク１２５を介して１つ以上のコアネットワークノード１３０に接続される、無線アクセスノード１２０Ａ〜１２０Ｂ（例えばｅＮＢ、ｇＮＢなど）などのネットワークノードを含む。ネットワーク１００は、任意の適切な配置シナリオを使用することができる。カバレッジエリア１１５内のＵＥ１１０は、無線インタフェースを介して無線アクセスノード１２０とそれぞれが直接通信することが可能でありうる。また、ある実施形態では、ＵＥ１１０は、Ｄ２Ｄ通信を介して相互に通信可能であってもよい。
【００４３】
例として、ＵＥ１１０Ａは、むせ任多フェースを介して、無線アクセスノード１２０Ａと通信しうる。すなわち、ＵＥ１１０Ａは、無線アクセスノード１２０Ａへ無線信号を送信し、及び／又は、無線アクセスノード１２０Ａから無線信号を受信しうる。無線信号は、音声トラフィック、データトラフィック、制御信号、及び／又は任意の他の適切な情報を含みうる。ある実施形態では、無線アクセスノード１２０に関連付けられた無線信号カバレッジ１１５のエリアが、セルと呼ばれうる。
【００４４】
相互接続ネットワーク１２５は、音声、映像、シグナル、データ、メッセージ等、又はそれらの組み合わせを送信可能な任意の相互接続システムを参照する。相互接続ネットワーク１２５は、公衆交換電話網（ＰＳＴＮ）、公衆又はプライベートデータネットワーク、ローカルエリアネットワーク（ＬＡＮ）、メトロポリタンエリアネットワーク（ＭＡＮ）、ワイドエリアネットワーク（ＷＡＮ）、インターネットなどのローカル、リージョナル、グローバル通信又はコンピュータネットワーク、有線又は無線ネットワーク、社内イントラネット、又は、それらの組み合わせを含んだ他の任意の適切な通信リンクを含みうる。
【００４５】
ある実施形態では、ネットワークノード１３０は、ＵＥ１１０のための通信セッションの確立や他の様々な機能を管理するコアネットワークノード１３０でありうる。コアネットワークノード１３０の例は、モバイルスイッチングセンタ（ＭＳＣ）、ＭＭＥ、サービングゲートウェイ（ＳＧＷ）、パケットデータネットワークゲートウェイ（ＰＧＷ）、運用及び保守点検（Ｏ＆Ｍ）、オペレーションサポートシステム（ＯＳＳ）、ＳＯＮ、測位ノード（例えば、エンハンスドサービングモバイルロケーションセンタ（Ｅ−ＳＭＬＣ））、ＭＤＴノードなどを含みうる。ＵＥ１１０は、非アクセス層レイヤを用いて、コアネットワークノードと所定の信号を交換することができる。非アクセス層のシグナリングにおいて、ＵＥ１１０とコアネットワークノード１３０との間の信号は、透過的に無線アクセスネットワークを通して受け渡されうる。ある実施形態では、無線アクセスノード１２０は、ノード間インタフェースに渡って、１つ以上のネットワークノードとインタフェース接続されうる。
【００４６】
ＡＣＫ／ＮＡＣＫ送信信号がＳＲをピギーバックすることができないケースに対して、ＡＣＫ／ＮＡＣＫを搬送するＰＵＣＣＨとＳＲを搬送するＰＵＣＣＨが衝突する場合のシナリオに対するＮＲにおける標準化された振る舞いが従来は存在しない。ＬＴＥでは、この場合にＡＣＫ／ＮＡＣＫを伴うＰＵＣＣＨメッセージが「勝ち」、ＳＲは失われ、この場合、両方のチャネルを送信することはできない。
【００４７】
ＮＲは、超高信頼低遅延通信（ＵＲＬＬＣ）をもサポートする。低遅延を実現するために、ＡＣＫ／ＮＡＣＫを伴うＰＵＣＣＨ送信を中断し／パンクチャし／送信しないようにし／停止することが必要でありうる。この振る舞いは、ＳＲが高い優先度（最高の優先度又は閾値を超える優先度）の論理チャネルと関連付けられており、ＡＣＫ／ＮＡＣＫが優先度の低いＤＬ再送に応答するものである場合には、好ましいかもしれない。ＡＣＫ／ＮＡＣＫが、高優先度のＤＬ送信に対応する場合、ＳＲを搬送するＰＵＣＣＨが進行中のＡＣＫ／ＮＡＣＫを伴うＰＵＣＣＨ送信信号をパンクチャし／停止すべきことはあまり明らかではない。
【００４８】
図３は、重複する送信の２つの例を示している。図３ａでは、第１の例において、ＡＣＫ／ＮＡＣＫを搬送する長いＰＵＣＣＨ（１４０）が、ＳＲを搬送するように構成された１つまたは複数の短いＰＵＣＣＨリソース（１４２、１４４、１４６）と重複している。図３ｂでは、第２の例において、ＡＣＫ／ＮＡＣＫを搬送する長いＰＵＣＣＨ（１５０）が、ＳＲのために構成された別の長いＰＵＣＣＨ（１５２）と重複している。図３の例では、ＡＣＫ／ＮＡＣＫを伴うＰＵＣＣＨが、ＳＲのために構成されるＰＵＣＣＨの前に開始しているが、別の場合も想像されうる。ＳＲのために構成されたＰＵＣＣＨが、ＡＣＫ／ＮＡＣＫより前に又は同時に、開始してもよく、しかしながら、少なくとも１つのシンボルでＡＣＫ／ＮＡＣＫのためのＰＵＣＣＨと重複しうる。現在、いつＳＲを送信するかおよびいつＡＣＫ／ＮＡＣＫを送信するか（例えば、ＡＣＫ／ＮＡＣＫを搬送するＰＵＣＣＨがＳＲをピギーバックすることができない場合）は、未定義である。
【００４９】
いくつかの実施形態は、ＰＵＣＣＨリソース間でのオーバーラップのケースにおいて、ＳＲとＡＣＫ／ＮＡＣＫとの間の相対的な優先度に基づいて、いつＡＣＫ／ＮＡＣＫを落とすかおよびいつＳＲを落とすかを決定することについて説明する。ＡＣＫ／ＮＡＣＫの優先度は、ＰＤＣＣＨもしくはＰＤＳＣＨのプロパティ及び／又はＡＣＫ／ＮＡＣＫを搬送するＰＵＣＣＨフォーマットのプロパティから導出されうる。
【００５０】
したがって、いくつかの実施形態は、高優先度のＡＣＫ／ＮＡＣＫの送信が低優先度のＳＲとオーバーラップする場合に、その送信を可能とする。その一方で、低優先度のＳＲが高優先度のＡＣＫ／ＮＡＣＫを妨害することはできない。一方で、高優先度のＳＲは、低優先度のＡＣＫ／ＮＡＣＫを妨害しうる。
【００５１】
ある実施形態では、無線デバイスは、ＳＲのためのＰＵＣＣＨリソースより前に／同時に開始し、ＡＣＫ／ＮＡＣＫを送信することになっているＡＣＫ／ＮＡＣＫのためのＰＵＣＣＨリソースを有する。その無線デバイスがスケジューリング要求をトリガするとき、ＡＣＫ／ＮＡＣＫとＳＲとの間の相対的な優先度に応じて、ＡＣＫ／ＮＡＣＫを伴うＰＵＣＣＨを送信してＳＲを落とすか、ＡＣＫ／ＮＡＣＫを伴うＰＵＣＣＨを落としてＳＲを伴うＰＵＣＣＨを送信するかのいずれか一方となる。ＡＣＫ／ＮＡＣＫを伴うＰＵＣＣＨを落とす場合、ＡＣＫ／ＮＡＣＫを伴うＰＵＣＣＨがその送信が既に開始されている後で停止され／中断されることを意味するかもしれず、また、代替的に、ＰＵＣＣＨのＡＣＫ／ＮＡＣＫ送信の直前に優先度決定が発生する場合、ＡＣＫ／ＮＡＣＫを伴うＰＵＣＣＨの送信が開始さえもされない。ＳＲは、そのＳＲが非常に遅くにトリガされたため、（ＡＣＫ／ＮＡＣＫ  ＰＵＣＣＨフォーマットがそれをサポートしているとしても）ＡＣＫ／ＮＡＣＫ  ＰＵＣＣＨにピギーバックされることはできない。
【００５２】
反対のシナリオも可能である。ＳＲを搬送するＰＵＣＣＨが既に開始されており、ＡＣＫ／ＮＡＣＫを送信すべきＰＵＣＣＨと重複する。ＳＲとＡＣＫ／ＮＡＣＫとの相対的優先度に応じて、ＳＲが停止され／中断されてＡＣＫ／ＮＡＣＫが送信されるか、ＳＲ送信が継続するかのいずれかである。先述のように、ＡＣＫ／ＮＡＣＫを優先する決定がＳＲ送信の開始前に判定された場合には、ＳＲ送信は開始されないようにされうる。
【００５３】
ＳＲとＡＣＫ／ＮＡＣＫとの間での優先度が等しい場合、両方の振る舞い（ＡＣＫ／ＮＡＣＫを送信し、ＳＲを落とす、又はその逆）を想像することができる。この場合、より早く開始するＡＣＫ／ＮＡＣＫ又はＰＵＣＣＨが選ばれうる。
【００５４】
ＡＣＫ／ＮＡＣＫ送信信号およびＳＲ送信信号の間の相対的な優先度に応じて、ＡＣＫ／ＮＡＣＫを搬送するＰＵＣＣＨとＳＲを搬送するＰＵＣＣＨとのいずれかを有線させうる。優先度の決定が十分に早期に行われた場合には、より低い優先度のＰＵＣＣＨ送信は停止され又は決して開始されないようにされうる。
【００５５】
ＳＲは、論理チャネル（又は論理チャネルグループ）に関連付けられ、論理チャネル（又は論理チャネルグループ）は、関連する優先度レベルを有している。したがって、ＳＲの優先度は、論理チャネルから、明示的に又は黙示的に、導出されうる。ＳＲの優先度をＡＣＫ／ＮＡＣＫの優先度と比較するために、ＡＣＫ／ＮＡＣＫも優先度レベルを必要とする。従来、ＡＣＫ／ＮＡＣＫ送信の優先度レベルを決定することに関するコンセプトは定義されていない。
【００５６】
図４は、無線デバイスにおいて実行されうるＰＵＣＣＨ送信優先度を決定するための方法を図解するフローチャートである。無線デバイスは、ＡＣＫ／ＮＡＣＫを含んだＰＵＣＣＨとＳＲを含んだＰＵＣＣＨとの両方を、送信のために有する。ＡＣＫ／ＮＡＣＫ送信信号とＳＲ送信信号とが重複するかが判定されうる（ステップ２００）。重複は、時間及び／又は周波数リソースなどのＰＵＣＣＨリソースにおいてありうる。重複がないと判定されたことに応じて、ＡＣＫ／ＮＡＣＫメッセージとＳＲメッセージとの両方が送信されうる（ステップ２１０）。重複があると判定されたことに応じて、送信信号の相対的な優先度が判定されうる（ステップ２２０）。ＳＲがＡＣＫ／ＮＡＣＫより高い優先度を有すると判定されたことに応答して、ＳＲメッセージが送信され、ＡＣＫ／ＮＡＣＫメッセージが停止又はキャンセルされうる（ステップ２３０）。ＡＣＫ／ＮＡＣＫがＳＲより高い優先度を有すると判定されたことに応答して、ＡＣＫ／ＮＡＣＫメッセージが送信され、ＳＲメッセージが停止又はキャンセルされうる（ステップ２４０）。
【００５７】
図５は、ＵＥ１１０などの無線デバイスにおいて実行されうる方法を図解するフローチャートである。本方法は、ＡＣＫ／ＮＡＣＫ送信信号がそれに応答することとなるＰＤＳＣＨに少なくとも部分的に基づいて、優先度レベルを判定することを含みうる。
【００５８】
ステップ３００：無線デバイスがＡＣＫ／ＮＡＣＫ  ＰＵＣＣＨ送信信号を有していると共にＳＲ  ＰＵＣＣＨ送信信号が時間及び／又は周波数リソースにおいて重複するかを判定する。
【００５９】
ステップ３１０：ＡＣＫ／ＮＡＣＫ  ＰＵＣＣＨ送信信号とＳＲ  ＰＵＣＣＨ送信信号が重複しないと判定したことに応じて、ＡＣＫ／ＮＡＣＫ送信信号とＳＲ送信信号との両方を送信する。
【００６０】
ステップ３２０：ＡＣＫ／ＮＡＣＫ  ＰＵＣＣＨ送信信号とＳＲ  ＰＵＣＣＨ送信信号とが重複すると判定したことに応じて、ＳＲ  ＰＵＣＣＨ送信信号の優先度を判定する。
【００６１】
ステップ３３０：ＡＣＫ／ＮＡＣＫ  ＰＵＣＣＨ送信信号とＳＲ  ＰＵＣＣＨ送信信号とが重複すると判定したことに応じて、ＡＣＫ／ＮＡＣＫ  ＰＵＣＣＨ送信信号の優先度を判定する。ＡＣＫ／ＮＡＣＫの優先度は、ＡＣＫ／ＮＡＣＫが応答するＰＤＳＣＨ送信信号に少なくとも部分的に基づいて判定されうる。
【００６２】
ステップ３４０：ＡＣＫ／ＮＡＣＫ  ＰＵＣＣＨ送信信号とＳＲ  ＰＵＣＣＨ送信信号との優先度が比較され、いずれの送信信号がより相対的に高い優先度を有するかを判定する。
【００６３】
ステップ３５０：ＳＲ  ＰＵＣＣＨ送信信号が、ＡＣＫ／ＮＡＣＫ  ＰＵＣＣＨ送信信号より高い優先度を有すると判定したことに応じて、ＳＲを送信し、ＡＣＫ／ＮＡＣＫ送信信号を停止し／落とし／キャンセルする。
【００６４】
ステップ３６０：ＡＣＫ／ＮＡＣＫ  ＰＵＣＣＨ送信信号が、ＳＲ  ＰＵＣＣＨ送信信号より高い優先度を有すると判定したことに応じて、ＡＣＫ／ＮＡＣＫを送信し、ＳＲ送信信号を停止し／落とし／キャンセルする。
【００６５】
上述のステップの１つ以上が、同時に及び／又は異なる順序で実行されうることが十分に理解されるだろう。また、破線で図解したステップはオプションで有り、いくつかの実施形態では省略されうる。送信信号の優先度を判定すること（例えばステップ３２０、３３０、３４０）に関するさらなる詳細については以下で与える。
【００６６】
ある実施形態では、ＰＤＳＣＨの優先度レベル（したがって、ＡＣＫ／ＮＡＣＫの優先度が同じに又は少なくともそこから導出されうる）は、ＰＤＣＣＨをスケジューリングする物理特性から、又は、ＰＤＣＣＨで送信される下りリンク制御情報（ＤＣＩ）に含まれる情報から、導出されうる。
【００６７】
ＰＤＣＣＨ送信の物理レイヤ特性は、ＰＤＣＣＨを送信するのに使用されるサーチスペース及び／又は制御リソースセットを含みうる。サーチスペースは、制御リソースセットと共に、ＵＥが、そのＵＥに宛てられたＰＤＣＣＨの候補を検出しようとする時間・周波数領域リソース（プラス、スクランブリング、インタリーブなどのような他のパラメータ）を記述する（以下では、サーチスペースは、ＮＲサーチスペースを、又はＮＲサーチスペースとＮＲ制御リソースセットとの組み合わせを、参照しうる）。異なるサーチスペースは、異なる優先度レベルを割り当てられ／異なる優先度レベルで設定されうる。例えば、高優先度送信信号を対象とした（ひいては高優先度でタグ付けされた）サーチスペースは、時間的に非常に頻繁に発生してもよく、その一方で、低優先度の送信（例えばＭＢＢ）を対象とする（したがってより低い優先度でタグ付けされた）サーチスペースは、時間的に、それほど頻繁には発生しなくてもよい。したがって、サーチスペースを、直接的に優先度レベルでタグ付けすることができる。そのような機能がない場合、優先度レベルは、サーチスペースの周期から導出されうる（頻発する：重要性が高い、あまり発生しない：低優先度）。サーチスペースで送信されるＰＤＣＣＨは、そのサーチスペースから、優先度レベルを継承する。
【００６８】
１つの例は、サーチスペースに対するいくつかの周期性の値がいずれのＳＲの優先度よりも高い関連付けられた優先度を有すると仮定することである。別の例は、ＳＲの周期性より高頻度なサーチスペースの周期性が、ＳＲよりも高い関連付けられた優先度を有することを、そしてその逆を、仮定することである。
【００６９】
ある実施形態では、ＰＤＣＣＨの優先度が、ＰＤＣＣＨの送信に使用されるアグリゲーションレベルと関連付けられてもよい。ＰＤＣＣＨのアグリゲーションレベルは、ＰＤＣＣＨの送信に使用される時間・周波数リソースの量を表示する。高優先度のＰＤＣＣＨは、より多くのリソース（例えば、より高いアグリゲーションレベル）がより高い信頼性をもたらすため、低優先度のＰＤＣＣＨより高いアグリゲーションレベルでスケジューリングされうる。
【００７０】
ＮＲでは、ＤＣＩのペイロードに、サイクリックリダンダンシチェック（ＣＲＣ）が付加され、チャネル符号化される。そして、ＣＲＣは、異なるＵＥアイデンティティ（例えば、無線ネットワーク一時識別子（ＲＮＴＩ））でスクランブリングされる。ＵＥは、ＰＤＣＣＨを検出しようとする際、ＰＤＣＣＨ候補のセットに渡ってブラインド復号を実行し、復号の間、デスクランブルされた（例えばＵＥに設定されたＲＮＴＩ値でデスクランブルされた）ＣＲＣが復号されたペイロードのＣＲＣと整合するかをチェックする。整合した場合、ＵＥは、自装置に宛てられたＰＤＣＣＨを検出する。
【００７１】
ある実施形態では、ＵＥを異なるＲＮＴＩ値で設定することが可能であり、少なくとも２つのＲＮＴＩの値が、異なる優先度レベルに対応することができる（例えば、ＲＮＴＩおよび優先度レベルとの関連は、その設定の一部でありえ、又は、事前定義されたルールに従いうる）。ｇＮＢは、高い優先度のＰＤＳＣＨをスケジューリングするために高い優先度に対応するＲＮＴＩを使用し、比較的重要でないＰＤＳＣＨをスケジューリングするために低い優先度のＲＮＴＩを使用しうる。
【００７２】
ある実施形態では、ＤＣＩ内の内容が、優先度を、明示的又は黙示的に示してもよい。明示的な表示の例は、スケジューリングされるＰＤＳＣＨの優先度レベルを示すＤＣＩ内のフィールドである。黙示的な情報の例は、ＭＣＳインデクス、ＭＣＳテーブル、示される符号化方式、所定の参照信号パターンの表示、時間領域リソース割り当て、ＭＩＭＯ送信方式などを含む。
【００７３】
高優先度送信の場合、低い符号化率及び／又は変調次数のＭＣＳが使用されうる。所定の（設定された）閾値を下回る符号化率／変調次数のＰＤＳＣＨは、高い優先度として分類されうる一方で、その閾値を超える符号化率／変調次数の送信信号は、低優先度でありうる。ある実施形態では、高優先度の送信信号に対して、より低い周波数効率の値（より高い信頼性）又は符号化率におけるより多くのエントリーを伴う特定のＭＣＳテーブルを使用しうる。このＭＣＳテーブルの使用が、高優先度の送信を示しうる。
【００７４】
ＤＣＩは、ＰＤＳＣＨのための様々なチャネル符号化方式、例えば、ＬＤＰＣ、ポーラ符号、ターボ符号などを使用することを示しうる。一部のチャネル符号を高い優先度のＰＤＳＣＨ送信と関連付けることができ、一方で他のチャネル符号化方式は低優先度のＰＤＳＣＨ送信に対応しうる。
【００７５】
ＤＣＩは、ＰＤＳＣＨのための、様々なＭＩＭＯ送信方式、例えば、空間多重、ビームフォーミング、又は送信ダイバーシティを示しうる。例えば、送信ダイバーシティを、高優先度のＰＤＳＣＨ送信信号に関連付けることができ、一方で、他のＭＩＭＯ方式を、低優先度のＰＤＳＣＨ送信信号に関連付けることができる。また、ＤＣＩは、使用する参照信号パターンを又は送信信号が所定の種類の参照信号を含むことを示すことができる。所定の参照信号の種類及び／又は参照信号設定（例えばＤＭ−ＲＳの密度）の存在が、優先度レベルを示しうる。
【００７６】
ＤＣＩは、時間領域のリソース割り当てテーブルを含む。（設定された閾値を下回る）短いＰＤＳＣＨ送信信号が高い優先度のＰＤＳＣＨ送信信号と対応することができ、一方で、より長い送信信号は、低優先度に対応しうる。
【００７７】
ＤＣＩは、所定のＣＲＣ長がＰＤＳＣＨに使用されることを示しうる。ＣＲＣ長（又はＣＲＣ多項式）と優先度との間のマッピングが存在してもよい。
【００７８】
ある実施形態では、高優先度ＰＤＳＣＨ送信が、ＰＤＣＣＨ送信の堅牢性を増すために特定のＤＣＩフォーマット、例えば小さい（コンパクトな）ＤＣＩを用いてスケジューリングされうる。優先度レベルは、ＤＣＩフォーマットから導出されうる。
【００７９】
ＰＤＣＣＨおよびＤＣＩのフィールドの上で掲載された物理特性は、非制限的な例として提供されており、他のパラメータを想定することもできる。さらに、ＤＣＩにおいて全てのパラメータを示すのに代えて、いくつかのパラメータが準静的に設定されてもよい。そして、様々な設定値が様々な優先度レベルに対応することができる。
【００８０】
したがって、ＰＤＳＣＨのために設定されたパラメータや、ＰＤＳＣＨ送信信号の特性が、関連付けられたＡＣＫ／ＮＡＣＫ送信信号の優先度を判定するのに使用可能である。原理的に、多くのＰＤＣＣＨ／ＤＣＩパラメータが、ＰＤＳＣＨパラメータとして解釈されうる（例えば、ＰＤＣＣＨにおいてシグナリングされるＰＤＳＣＨのための時間領域リソース割り当てはＰＤＳＣＨのプロパティでもある）。
【００８１】
図６は、ＵＥ１１０などの無線デバイスにおいて実行されうる方法を図解するフローチャートである。本方法は、ＡＣＫ／ＮＡＣＫを搬送するＰＵＣＣＨリソースに少なくとも部分的に基づいて、優先度レベルを判定することを含みうる。
【００８２】
ある実施形態では、ＰＵＣＣＨ設定の一部として、優先度レベルを用いてＰＵＣＣＨリソースを設定することができる。
【００８３】
ステップ４００：無線デバイスがＡＣＫ／ＮＡＣＫ  ＰＵＣＣＨ送信を有していると共にＳＲ  ＰＵＣＣＨ送信信号が時間及び／又は周波数リソースにおいて重複するかを判定する。
【００８４】
ステップ４１０：ＡＣＫ／ＮＡＣＫ  ＰＵＣＣＨ送信信号とＳＲ  ＰＵＣＣＨ送信信号とが重複しないと判定したことに応じて、ＡＣＫ／ＮＡＣＫ送信信号とＳＲ送信信号との両方を送信する。
【００８５】
ステップ４２０：ＡＣＫ／ＮＡＣＫ  ＰＵＣＣＨ送信信号とＳＲ  ＰＵＣＣＨ送信信号とが重複すると判定したことに応じて、ＳＲ  ＰＵＣＣＨ送信の優先度を判定する。
【００８６】
ステップ４３０：ＡＣＫ／ＮＡＣＫ  ＰＵＣＣＨ送信信号とＳＲ  ＰＵＣＣＨ送信信号とが重複すると判定したことに応じて、ＡＣＫ／ＮＡＣＫ  ＰＵＣＣＨ送信の優先度を判定する。ＡＣＫ／ＮＡＣＫの優先度は、ＡＣＫ／ＮＡＣＫ送信信号を搬送するＰＵＣＣＨリソースに少なくとも部分的に基づいて判定されうる。
【００８７】
ステップ４４０：ＡＣＫ／ＮＡＣＫ  ＰＵＣＣＨ送信およびＳＲ  ＰＵＣＣＨ送信の優先度が比較される。
【００８８】
ステップ４５０：ＳＲ  ＰＵＣＣＨ送信信号がＡＣＫ／ＮＡＣＫ  ＰＵＣＣＨ送信信号より高い優先度を有すると判定したことに応じて、ＳＲを送信し、ＡＣＫ／ＮＡＣＫ送信信号を停止し／落とし／キャンセルする。
【００８９】
ステップ４６０：ＡＣＫ／ＮＡＣＫ  ＰＵＣＣＨ送信が、ＳＲ  ＰＵＣＣＨ送信より高い優先度を有すると判定したことに応じて、ＡＣＫ／ＮＡＣＫを送信し、ＳＲ送信信号を停止し／落とし／キャンセルする。
【００９０】
上述のステップの１つ以上が、同時に及び／又は異なる順序で実行されうることが十分に理解されるだろう。また、破線で図解したステップはオプションで有り、いくつかの実施形態では省略されうる。送信信号の優先度を判定すること（例えばステップ４２０、４３０、４４０）に関するさらなる詳細については以下で与える。
【００９１】
ある実施形態では、「高」又は「低」の優先度レベルのみが設定されうる。他の実施形態では、複数の優先度レベルを伴うより詳細な設定（例えばより詳細な粒度の優先度スケール）が設定されうる。
【００９２】
ある実施形態では、優先度レベルは、ＡＣＫ／ＮＡＣＫのプロパティのためのＰＤＣＣＨ／ＤＣＩ／ＰＤＣＣＨの２つ以上を組み合わせることに少なくとも部分的に基づいて判定されうる。このような場合に、例えばＡＣＫ／ＮＡＣＫのプロパティのためのＰＤＣＣＨ／ＤＣＩ／ＰＤＳＣＨ／ＰＵＣＣＨ（組み合わせ）の、優先度レベルを直接導出する固定のマッピングが使用されうる。他の可能性は、ＡＣＫ／ＮＡＣＫのプロパティのためのＰＤＣＣＨ／ＤＣＩ／ＰＤＳＣＨ／ＰＵＣＣＨが機能に入力され、この機能の少なくとも１つの追加のパラメータがＲＲＣ設定されることである。これは、より良好な制御を提供することができ、その制御を介して、ＡＣＫ／ＮＡＣＫのプロパティのためのＰＤＣＣＨ／ＤＣＩ／ＰＤＳＣＨ／ＰＵＣＣＨ（組み合わせ）がいずれかの優先度レベルをもたらす。
【００９３】
ある実施形態では、ＡＣＫ／ＮＡＣＫとＳＲの優先度を比較することが、単純な比較機能でありうる。代替的に、この比較機能は設定されてもよく、例えば、比較前のＡＣＫ／ＮＡＣＫ及び／又はＳＲの優先度値を強化／圧縮しうる。強化／圧縮パラメータは、固定されていてもよいし、ＲＲＣ設定可能であってもよい。
【００９４】
ここでは、ＰＵＣＣＨシグナリングを参照して実施形態について説明したが、様々なシステムおよび方法が他の種類のメッセージに適用可能であることが十分に理解されるだろう。無線デバイスは、時間及び／又は周波数リソースで重複する２つの種類の送信信号を有すると判定することができる。その２つの種類の送信信号の相対的な優先度は、ここで説明した様々な実施形態に従って判定可能である。無線デバイスは、第１の種類の送信信号が第２の種類のものより優先されると判定することができ、そして、その第１の種類のメッセージを送信すると共に、その第２の種類のメッセージの送信をキャンセル／停止することができる。
【００９５】
ここでは、ＰＵＣＣＨ送信信号間の相対的な優先度を判定する無線デバイスを参照して実施形態を説明したが、（ｇＮＢ１２０などの）無線アクセスノードを、このような判定の設定及び／又はシグナリングに参加させることができる。
【００９６】
ｇＮＢは、重複するＰＵＣＣＨリソースにおいて送信される可能性のあるＳＲの優先度を認識することができるが、ｇＮＢは、無線デバイスが実際にそのＳＲを送信するかを知らない。ｇＮＢは、ＡＣＫ／ＮＡＣＫの優先度を（ｇＮＢが対応するＰＤＳＣＨをスケジューリングしたため）認識することができる。ＡＣＫ／ＮＡＣＫが、重複するＰＵＣＣＨリソースにマッピングされたＳＲより高い優先度を有する場合、ｇＮＢは、（無線デバイスがＡＣＫ／ＮＡＣＫを優先するため）ＳＲ  ＰＵＣＣＨリソースをリッスンする必要がない。ＳＲ  ＰＵＣＣＨリソースにマッピングされるＳＲが、ＡＣＫ／ＮＡＣＫより高い優先度を有する場合、ｇＮＢは、ＡＣＫ／ＮＡＣＫとＳＲの両方のＰＵＣＣＨリソースを監視する必要がある。この場合、ｇＮＢは、無線デバイスによってＳＲがトリガされるか（ひいては、ＳＲが送信されてＡＣＫ／ＮＡＣＫが落とされるか）、又は、ＡＣＫ／ＮＡＣＫが送信されるかを知らない。
【００９７】
図７は、所定の実施形態による、例示の無線デバイス（ＵＥ１１０）のブロック図である。ＵＥ１１０は、送受信器５１０、プロセッサ５２０、およびメモリ５３０を含む。ある実施形態では、送受信器５１０は、（例えば送信器（Ｔｘ）、受信器（Ｒｘ）及びアンテナを介して）無線信号を無線アクセスノード１２０へ送信することおよび無線アクセスノード１２０から無線信号を受信することを促進する。プロセッサ５２０は、ＵＥによって提供されるような上述の機能の一部または全部を提供するための命令を実行し、メモリ５３０は、プロセッサ５２０によって実行される命令を記憶する。ある実施形態では、プロセッサ５２０およびメモリ５３０が、処理回路を形成する。
【００９８】
プロセッサ５２０は、上述のＵＥ１１０の機能などの、無線デバイスの説明した機能の一部または全部を実行するために、命令を実行し、データを操作するハードウェアの任意の適切な組み合わせを含みうる。ある実施形態では、プロセッサ５２０は、例えば、１つ以上のコンピュータ、１つ以上の中央演算装置（ＣＰＵ）、１つ以上のマイクロプロセッサ、１つ以上の特定用途向け集積回路（ＡＳＩＣ）、１つ以上のフィールドプログラマブルゲートアレイ（ＦＰＧＡ）、及び／又は、他のロジックを含みうる。
【００９９】
メモリ５３０は、一般に、コンピュータプログラムと、ソフトウェアと、１つ以上のロジック、ルール、アルゴリズム、コード、テーブルなどを含んだアプリケーションと、プロセッサ５２０によって実行されることが可能な他の命令との少なくともいずれかなどの、命令を記憶するように動作可能である。メモリ５３０の例は、ＵＥ１１０のプロセッサ５２０によって使用されうる情報とデータと命令との少なくともいずれかを記憶する、コンピュータメモリ（例えば、ランダムアクセスメモリ（ＲＡＭ）又はリードオンリーメモリ（ＲＯＭ））、大容量記憶媒体（例えばハードディスク）、リムーバブル記憶媒体（例えば、コンパクトディスク（ＣＤ）又はデジタルビデオディスク（ＤＶＤ））、及び／又は、任意の、他の揮発性のもしくは不揮発性の、非一時コンピュータ可読並びに／もしくはコンピュータ実行可能メモリデバイスを含む。
【０１００】
ＵＥ１１０の他の実施形態は、上述の機能及び／又は（上述のソリューションをサポートするのに必要な任意の機能を含んだ）任意の追加の機能のいずれかを含む、所定の態様のその無線デバイスの機能を提供する責務を担いうる、図７に示されるものを超える追加のコンポーネントを含みうる。単なる１つの例として、ＵＥ１１０は、プロセッサ５２０の一部でありうる、入力デバイスおよび回路、出力デバイス、および１つ以上の同期ユニット又は回路を含みうる。入力デバイスは、ＵＥ１１０へのデータのエントリーのための機構を含む。例えば、入力デバイスは、マイク、入力エレメント、ディスプレイなどのような入力機構を含みうる。出力デバイスは、音声、映像、及び／又はハードコピーフォーマットでデータを出力するための機構を含みうる。例えば、出力デバイスは、スピーカ、ディスプレイなどを含みうる。
【０１０１】
ある実施形態では、無線デバイスＵＥ１１０は、上述の無線デバイスの機能を実行するように構成された一連のモジュールを有しうる。図８を参照すると、いくつかの実施形態において、無線デバイス１１０は、第１のタイプ（ＡＣＫ／ＮＡＣＫ）のＰＵＣＣＨ送信信号と第２のタイプ（ＳＲ）のＰＵＣＣＨ送信信号が重複することを判定する制御モジュール５５０と、第１のタイプのＰＵＣＣＨ送信信号と第２のタイプのＰＵＣＣＨ送信信号との相対的な優先度を判定する優先度付けモジュール５６０と、判定された相対的優先度に従って送信を行う送信モジュール５７０とを有することができる。
【０１０２】
様々なモジュールが、ハードウェアおよびソフトウェアの組み合わせ、例えば、図７に示すＵＥ１１０のプロセッサ、メモリ、および送受信器として、実装されうることが十分に理解されるだろう。また、いくつかの実施形態は追加の及び／又はオプションの機能をサポートするための追加のモジュールを含んでもよい。
【０１０３】
図９は、所定の実施形態による、例示の無線アクセスノード１２０のブロック図である。無線アクセスノード１２０は、送受信器６１０、プロセッサ６２０、メモリ６３０、およびネットワークインタフェース６４０のうちの１つ以上を含んでもよい。ある実施形態では、送受信器６１０は、（例えば、送信器（Ｔｘ）、受信器（Ｒｘ）及びアンテナを介して）ＵＥ１１０などの無線デバイスへ無線信号を送信することと、その無線デバイスからの無線信号を受信することとを促進する。プロセッサ６２０は、無線アクセスノード１２０によって提供されるような上述の機能の一部または全部を提供するために命令を実行し、メモリ６３０は、プロセッサ６２０によって実行される命令を記憶する。ある実施形態では、プロセッサ６２０およびメモリ６３０が、処理回路を形成する。ネットワークインタフェース６４０は、ゲートウェイ、スイッチ、ルータ、インターネット、公衆交換電話網（ＰＳＴＮ）、コアネットワークノード、又は無線ネットワーク制御装置などなどの、バックエンドネットワークコンポーネントに信号を伝送しうる。
【０１０４】
プロセッサ６２０は、上述のようなものなど、無線アクセスノード１２０の説明した昨日の一部または全部を実行するために、命令を実行し、データを操作するためのハードウェアの任意の適切な組み合わせを含みうる。ある実施形態では、プロセッサ６２０は、例えば、１つ以上のコンピュータ、１つ以上の中央演算装置（ＣＰＵ）、１つ以上のマイクロプロセッサ、１つ以上の特定用途向け集積回路（ＡＳＩＣ）、１つ以上のフィールドプログラマブルゲートアレイ（ＦＰＧＡ）、及び／又は、他のロジックを含みうる。
【０１０５】
メモリ６３０は、一般に、コンピュータプログラムと、ソフトウェアと、１つ以上のロジック、ルール、アルゴリズム、コード、テーブルなどを含んだアプリケーションと、プロセッサ６２０によって実行されることが可能な他の命令との少なくともいずれかなどの、命令を記憶するように動作可能である。メモリ６３０の例は、情報を記憶する、コンピュータメモリ（例えば、ランダムアクセスメモリ（ＲＡＭ）又はリードオンリーメモリ（ＲＯＭ））、大容量記憶媒体（例えばハードディスク）、リムーバブル記憶媒体（例えば、コンパクトディスク（ＣＤ）又はデジタルビデオディスク（ＤＶＤ））、及び／又は、他の揮発性のもしくは不揮発性の、非一時コンピュータ可読並びに／もしくはコンピュータ実行可能メモリデバイスを含む。
【０１０６】
ある実施形態では、ネットワークインタフェース６４０は、プロセッサ６２０と通信結合され、ノード１２０に対する入力を受信し、ノード１２０からの出力を送出し、入力もしくは出力またはその両方の適切な処理を実行し、他のデバイスと通信し、それらの任意の組み合わせを実行するように動作可能な任意の適切なデバイスを参照しうる。ネットワークインタフェース６４０は、ネットワークを通じた通信を行うために、プロトコルコンバージョンおよびデータ処理能力を含んだ、適切なハードウェア（例えば、ポート、モデム、ネットワークインタフェースカードなど）とソフトウェアとを含みうる。
【０１０７】
無線アクセスノード１２０の他の実施形態は、上述の機能及び／又は（上述のソリューションをサポートするのに必要な任意の機能を含んだ）任意の追加の機能のいずれかを含む、所定の態様のそのノードの機能を提供する責務を担いうる、図９に示されるものを超える追加のコンポーネントを含むことができる。様々な異なる種類のネットワークノードは、同一の物理ハードウェアを有するが（例えばプログラミングを介して）異なる無線アクセス技術をサポートするように構成されたコンポーネントを含んでもよく、または、部分的に又は全体的に異なる物理コンポーネントを表してもよい。
【０１０８】
図７及び図９に関して説明したものと同様のプロセッサ、インタフェース、およびメモリは、（コアネットワークノード１３０などの）他のネットワークノードに含まれうる。他のネットワークノードは、（図７及び図９に説明された送受信器などの）無線インタフェースをオプションとして含んでもよいし、含まなくてもよい。
【０１０９】
ある実施形態では、無線アクセスノード１２０は、上述のネットワークノードの機能を実装するように構成された一連のモジュールを含んでもよい。図１０を参照すると、いくつかの実施形態において、無線アクセスノード１２０は、第１および第２のタイプのＰＵＣＣＨ送信信号と関連付けられた優先度を設定するための設定モジュール６５０；設定された優先度に従って動作タスクを実行するための動作モジュール６６０；および、少なくとも１つのＰＵＣＣＨ送信信号を受信するための受信モジュール６７０を含むことができる。
【０１１０】
様々なモジュールが、ハードウェアとソフトウェアの組み合わせ、例えば図９に示す無線アクセスノード１２０のプロセッサ、メモリおよび送受信器として実装されうることが十分に理解されるだろう。また、いくつかの実施形態は、追加の及び／又はオプションの機能をサポートするための追加のモジュールを含んでもよい。
【０１１１】
いくつかの実施形態は、機械可読媒体（そこに具現化されるコンピュータ可読プログラムコードを有する、コンピュータ可読媒体、プロセッサ可読媒体、又はコンピュータ使用可能媒体とも呼ばれる）に記憶されたソフトウェアプロダクトと表現されてもよい。機械可読媒体は、ディスケット、コンパクトディスク・リードオンリーメモリ（ＣＤ−ＲＯＭ）、デジタル多目的ディスク・リードオンリーメモリ（ＤＶＤ−ＲＯＭ）、メモリデバイス（揮発性又は不揮発性の）、又は同様の記憶装置を含んだ磁気の、光学の、電気の記憶媒体を含む、任意の適切な有形の媒体でありうる。機械可読媒体は、実行される場合に、処理回路（例えばプロセッサ）に１つ以上の実施形態による方法におけるステップを実行させる、命令、コード系列、設定情報、又は他のデータの様々なセットを含みうる。当業者は、説明した実施形態を実行するのに必要な他の命令および動作が、機械可読媒体に記憶されうることを十分に理解するだろう。機械可読媒体から実行するソフトウェアは、説明したタスクを実行するために回路とインタフェース接続されうる。
【０１１２】
上述の実施形態は、単なる例示を意図している。交換、変更、バリエーションが、本説明の範囲から逸脱することなく、当業者によって、特定の実施形態に対して達成されうる。
【０１１３】
用語集
本説明は、以下の略語のうちの１つ以上を含みうる：
３ＧＰＰ            第３世代パートナーシッププロジェクト
ＡＣＫ              確認応答
ＡＰ                アクセスポイント
ＡＲＱ              自動再送要求
ＢＳ                基地局
ＢＳＣ              基地局制御装置
ＢＴＳ              基地送受信局
ＣＡ                キャリアアグリゲーション
ＣＣ                コンポーネントキャリア
ＣＣＣＨ  ＳＤＵ    共通制御チャネルＳＤＵ
ＣＧ                セルグループ
ＣＧＩ              セルグローバル識別子
ＣＱＩ              チャネル品質情報
ＣＳＩ              チャネル状態情報
ＤＡＳ              分散アンテナシステム
ＤＣ                デュアルコネクティビティ
ＤＣＣＨ            個別制御チャネル
ＤＣＩ              下りリンク制御情報
ＤＦＴＳ−ＯＦＤＭ  離散フーリエ変換スプレッドＯＦＤＭ
ＤＬ                下りリンク
ＤＭＲＳ            復調参照信号
ｅＭＢＢ            エンハンスドモバイルブロードバンド
ｅＮＢ              Ｅ−ＵＴＲＡＮノードＢ又はエボルブドノードＢ
ｅＰＤＣＣＨ        エンハンスド物理下りリンク制御チャネル
Ｅ−ＳＭＬＣ        エボルブドサービングモバイルロケーションセンタ
Ｅ−ＵＴＲＡ        エボルブドＵＴＲＡ
Ｅ−ＵＴＲＡＮ      エボルブドＵＴＲＡＮ
ＦＤＭ              周波数分割多重
ｇＮＢ              次世代ノードＢ
ＨＡＲＱ            複合自動再送要求
ＨＯ                ハンドオーバ
ＩｏＴ              物のインターネット
ＬＴＥ              ロングタームエボリューション
Ｍ２Ｍ              機械対機械
ＭＡＣ              媒体アクセス制御
ＭＢＭＳ            マルチメディアブロードキャストマルチキャストサービス
ＭＣＧ              マスタセルグループ
ＭＣＳ              変調および符号化方式
ＭＤＴ              ドライブテストの最小化
ＭｅＮＢ            マスタｅＮｏｄｅＢ
ＭＩＭＯ            多入力多出力
ＭＭＥ              移動管理エンティティ
ＭＳＣ              モバイルスイッチングセンタ
ＭＳＲ              マルチスタンダード無線
ＭＴＣ              マシンタイプコミュニケーション
ＮＡＣＫ            否定確認応答
ＮＤＩ              ネクストデータインジケータ
ＮＲ                Ｎｅｗ  Ｒａｄｉｏ
Ｏ＆Ｍ              運用及び保守点検
ＯＣＣ              直交カバーコード
ＯＦＤＭ            直交周波数分割多重
ＯＦＤＭＡ          直交周波数分割多元接続
ＯＳＳ              オペレーションサポートシステム
ＰＣＣ              プライマリコンポーネントキャリア
Ｐ−ＣＣＰＣＨ      プライマリ共通制御物理チャネル
ＰＣｅｌｌ          プライマリセル
ＰＣＧ              プライマリセルグループ
ＰＣＨ              ページングチャネル
ＰＣＩ              物理セル識別子
ＰＤＣＣＨ          物理下りリンク制御チャネル
ＰＤＳＣＨ          物理下りリンク共有チャネル
ＰＤＵ              プロトコルデータユニット
ＰＧＷ              パケットゲートウェイ
ＰＨＩＣＨ          物理ＨＡＲＱインジケーションチャネル
ＰＭＩ              プリコーダ行列インジケータ
ＰＲＢ              物理リソースブロック
ＰｒｏＳｅ          近接サービス
ＰＳＣ              プライマリサービングセル
ＰＳＣｅｌｌ        プライマリＳＣｅｌｌ
ＰＵＣＣＨ          物理上りリンク制御チャネル
ＰＵＳＣＨ          物理上りリンク共有チャネル
ＱＰＳＫ            直交位相シフトキーイング
ＲＡＴ              無線アクセス技術
ＲＢ                リソースブロック
ＲＦ                無線周波数
ＲＬＭ              無線リンク管理
ＲＮＣ              無線ネットワーク制御装置
ＲＮＴＩ            無線ネットワーク一時識別子
ＲＲＣ              無線リソース制御
ＲＲＨ              遠隔無線ヘッド
ＲＲＭ              無線リソース管理
ＲＲＵ              遠隔無線ユニット
ＲＳＲＰ            参照信号受信電力
ＲＳＲＱ            参照信号受信品質
ＲＳＳＩ            受信信号強度インジケータ
ＲＳＴＤ            参照信号時間差
ＲＴＴ              ラウンドトリップタイム
ＳＣＣ              セカンダリコンポーネントキャリア
ＳＣｅｌｌ          セカンダリセル
ＳＣＧ              セカンダリセルグループ
ＳＣＨ              同期チャネル
ＳＤＵ              サービスデータユニット
ＳｅＮＢ            セカンダリｅＮｏｄｅＢ
ＳＧＷ              サービングゲートウェイ
ＳＩ                システム情報
ＳＩＢ              システムインフォメーションブロック
ＳＩＮＲ            信号対干渉および雑音比
ＳＮＲ              信号雑音比
ＳＰＳ              セミパーシステントスケジューリング
ＳＯＮ              自己組織化ネットワーク
ＳＲ                スケジューリング要求
ＳＲＳ              サウンディング参照信号
ＳＳＣ              セカンダリサービングセル
ＴＴＩ              送信時間間隔
Ｔｘ                送信器
ＵＣＩ              上りリンク制御情報
ＵＥ                ユーザ端末
ＵＬ                上りリンク
ＵＲＬＬＣ          超高信頼低遅延通信
ＵＴＲＡ            ユニバーサル地上無線アクセス
ＵＴＲＡＮ          ユニバーサル地上無線アクセスネットワーク
Ｖ２Ｖ              車対車
Ｖ２Ｘ              車対全て
ＷＬＡＮ            無線ローカルエリアネットワーク
【図１】
2021520681.tif 000003
【図２】
2021520681.tif 000004
【図３ａ】
2021520681.tif 000005
【図３ｂ】
2021520681.tif 000006
【図４】
2021520681.tif 000007
【図５】
2021520681.tif 000008
【図６】
2021520681.tif 000009
【図７】
2021520681.tif 000010
【図８】
2021520681.tif 000011
【図９】
2021520681.tif 000012
【図１０】
2021520681.tif 000013
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
無線デバイスによって実行される方法であって、
確認応答／否定確認応答（ＡＣＫ／ＮＡＣＫ）送信信号とスケジューリング要求（ＳＲ）送信信号が、物理上りリンク制御チャネル（ＰＵＣＣＨ）リソースにおいて重複することを判定することと、
前記ＡＣＫ／ＮＡＣＫ送信信号と関連付けられる優先度を判定すること、ここで、当該ＡＣＫ／ＮＡＣＫ送信信号に関連付けられる当該優先度が物理下りリンク制御チャネル（ＰＤＣＣＨ）で送信される下りリンク制御情報（ＤＣＩ）メッセージに少なくとも部分的に基づいて判定されること、と、
前記ＡＣＫ／ＮＡＣＫ送信信号と関連付けられる前記優先度を、前記ＳＲ送信信号と関連付けられる優先度と比較して、いずれの送信信号がより相対的に高い優先度を有するかを判定することと、
より相対的に高い前記優先度を有する前記送信信号を送信することと、
を含む方法。
【請求項２】
前記ＳＲ送信信号と関連付けられる優先度を判定することをさらに含む請求項１に記載の方法。
【請求項３】
前記ＳＲ送信信号と関連付けられる前記優先度は、当該ＳＲ送信信号と関連付けられた論理チャネルに関連する優先度レベルに従って判定される請求項２に記載の方法。
【請求項４】
前記ＡＣＫ／ＮＡＣＫ送信信号に関連付けられる前記優先度は、物理下りリンク制御チャネル（ＰＤＣＣＨ）のプロパティ、物理下りリンク共有チャネル（ＰＤＳＣＨ）のプロパティ、およびＰＵＣＣＨのプロパティの少なくともいずれかに従って判定される請求項１から３のいずれか１項に記載の方法。
【請求項５】
前記ＡＣＫ／ＮＡＣＫ送信信号に関連付けられる前記優先度は、スケジューリングＰＤＣＣＨ送信の特性に少なくとも部分的に基づいて判定される請求項１から４のいずれか１項に記載の方法。
【請求項６】
前記特性は、ＰＤＣＣＨ送信に用いられるサーチスペースおよび制御リソースセットの少なくともいずれかを含む請求項５に記載の方法。
【請求項７】
前記サーチスペースの優先度レベルが、前記サーチスペースの周期から導出される請求項６に記載の方法。
【請求項８】
前記ＡＣＫ／ＮＡＣＫ送信信号に関連付けられる前記優先度は、ＰＤＣＣＨに関連付けられるアグリゲーションレベルに少なくとも部分的に基づいて判定される請求項１から７のいずれか１項に記載の方法。
【請求項９】
前記ＤＣＩメッセージは、変調および符号化方式、符号化率、変調次数、参照信号パターンの表示、時間領域リソース割り当て、サイクリックリダンダンシチェック（ＣＲＣ）長、および、多入力多出力（ＭＩＭＯ）送信手法の少なくともいずれかを含む請求項１に記載の方法。
【請求項１０】
前記ＡＣＫ／ＮＡＣＫ送信信号に関連付けられる前記優先度は、前記無線デバイスに関連付けられた無線ネットワーク一時識別子（ＲＮＴＩ）に少なくとも部分的に基づいて判定される請求項１から９のいずれか１項に記載の方法。
【請求項１１】
前記ＡＣＫ／ＮＡＣＫ送信信号に関連付けられる前記優先度は、前記ＡＣＫ／ＮＡＣＫ送信信号を搬送するＰＵＣＣＨリソースに関連する優先度レベルに少なくとも部分的に基づいて判定される請求項１から１０のいずれか１項に記載の方法。
【請求項１２】
前記ＡＣＫ／ＮＡＣＫ送信信号および前記ＳＲ送信信号が相対的に同じ優先度を有すると判定したことに応じて、より早い送信時間の前記送信信号が送信される請求項１から１１のいずれか１項に記載の方法。
【請求項１３】
相対的により低い優先度を有する前記送信信号のキャンセルと中段とのいずれかを行うことをさらに含む請求項１から１１のいずれか１項に記載の方法。
【請求項１４】
無線インタフェースと、
処理回路であって、
確認応答／否定確認応答（ＡＣＫ／ＮＡＣＫ）送信信号とスケジューリング要求（ＳＲ）送信信号とがＰＵＣＣＨリソースにおいて重複することを判定し、
前記ＡＣＫ／ＮＡＣＫ送信信号に関連付けられる優先度を判定し、ここで、前記ＡＣＫ／ＮＡＣＫ送信信号に関連付けられる当該優先度が物理下りリンク制御チャネル（ＰＤＣＣＨ）で送信される下りリンク制御情報（ＤＣＩ）メッセージに少なくとも部分的に基づいて判定され
前記ＡＣＫ／ＮＡＣＫ送信信号に関連付けられる前記優先度を、前記ＳＲ送信信号と関連付けられる優先度と比較して、いずれの送信信号が相対的により高い優先度を有するかを判定し、
相対的により高い前記優先度を有する前記送信信号を送信する
ように構成された前記処理回路と、
を有する無線デバイス。
【請求項１５】
前記ＳＲ送信信号と関連付けられる優先度を判定するようにさらに構成される請求項１４に記載の無線デバイス。
【請求項１６】
前記ＳＲ送信信号に関連付けられる前記優先度は、当該ＳＲ送信信号に関連付けられた論理チャネルに関連する優先度レベルに従って判定される請求項１５に記載の無線デバイス。
【請求項１７】
前記ＡＣＫ／ＮＡＣＫ送信信号に関連付けられる前記優先度は、物理下りリンク制御チャネル（ＰＤＣＣＨ）のプロパティ、物理下りリンク共有チャネル（ＰＤＳＣＨ）のプロパティ、およびＰＵＣＣＨのプロパティの少なくともいずれかに従って判定される請求項１４から１６のいずれか１項に記載の無線デバイス。
【請求項１８】
前記ＡＣＫ／ＮＡＣＫ送信信号に関連付けられる前記優先度は、スケジューリングＰＤＣＣＨ送信の特性に少なくとも部分的に基づいて判定される請求項１４から１７のいずれか１項に記載の無線デバイス。
【請求項１９】
前記特性は、ＰＤＣＣＨ送信に用いられるサーチスペースおよび制御リソースセットの少なくともいずれかを含む請求項１８に記載の無線デバイス。
【請求項２０】
前記サーチスペースの優先度レベルが、前記サーチスペースの周期から導出される請求項１９に記載の無線デバイス。
【請求項２１】
前記ＡＣＫ／ＮＡＣＫ送信信号に関連付けられる前記優先度は、ＰＤＣＣＨに関連付けられるアグリゲーションレベルに少なくとも部分的に基づいて判定される請求項１４から２０のいずれか１項に記載の無線デバイス。
【請求項２２】
前記ＤＣＩメッセージは、変調および符号化方式、符号化率、変調次数、参照信号パターンの表示、時間領域リソース割り当て、サイクリックリダンダンシチェック（ＣＲＣ）長、および、多入力多出力（ＭＩＭＯ）送信手法の少なくともいずれかを含む請求項１４に記載の無線デバイス。
【請求項２３】
前記ＡＣＫ／ＮＡＣＫ送信信号に関連付けられる前記優先度は、前記無線デバイスに関連付けられた無線ネットワーク一時識別子（ＲＮＴＩ）に少なくとも部分的に基づいて判定される請求項１４から２２のいずれか１項に記載の無線デバイス。
【請求項２４】
前記ＡＣＫ／ＮＡＣＫ送信信号に関連付けられる前記優先度は、前記ＡＣＫ／ＮＡＣＫ送信信号を搬送するＰＵＣＣＨリソースに関連する優先度レベルに少なくとも部分的に基づいて判定される請求項１４から２３のいずれか１項に記載の無線デバイス。
【請求項２７】
前記ＡＣＫ／ＮＡＣＫ送信信号および前記ＳＲ送信信号が相対的に同じ優先度を有すると判定したことに応じて、より早い送信時間の前記送信信号を送信するようにさらに構成される請求項１４から２４のいずれか１項に記載の無線デバイス。
【請求項２８】
相対的により低い優先度を有する前記送信信号のキャンセルと中段とのいずれかを行うようにさらに構成される請求項１４から２４のいずれか１項に記載の無線デバイス。
【国際調査報告】
2021520681.tif 000014
2021520681.tif 000015
2021520681.tif 000016